(57)【特許請求の範囲】
【請求項１】
電話回線に接続される親機と、該親機と無線接続される子機とからなるコードレス電話装置であって、
前記親機は、有線回線の接続、開放を行うネットワーク回路と、子機と無線接続する送受信回路と、マイクロホンと、該マイクロホン又は前記送受信回路から入力した、ユーザから発せられた着信に応答することを意味する言葉を検出する音声認識回路と、ベルと、制御回路と、を有し、
前記制御回路は、着信時に前記送受信回路から子機にＯＮコマンドを送信させることにより子機のスピーカから着信音を送出させる制御と、前記ベルから着信音を送出させる制御を交互に行い、
前記子機のスピーカから着信音を送出させる制御を行っている間に前記音声認識回路が前記マイクロホンから前記言葉を認識したと判定すると、前記ネットワーク回路を制御することにより回線を閉結し、
一方、前記ベルから着信音を送出している間に前記送受信回路が前記子機から前記言葉のデータを受信し、該受信した言葉を前記音声認識回路が認識したと判定すると、親機を介して回線と子機との間で通話路を形成すべく、前記送受信回路と子機とを接続すると共に前記送受信回路と前記ネットワーク回路とを接続し、且つ電話回線を閉結するように制御することを特徴とするコードレス電話装置。
【発明の詳細な説明】
【０００１】
【産業上の利用分野】
本発明は、外線からの着信時に、所定の音声を検出することにより、自動応答することができるコードレス電話装置に関する。
【０００２】
【従来の技術】
近年、例えば、特公平３−３１２７５号公報に示すように、音声認識により、予め定めた動作を行なわせる種々の装置が開発されており、コードレス電話装置にあっても外線からの着信時に、所定の音声の入力に応じて通話状態に設定するものが開発されている。
【０００３】
【発明が解決しようとする課題】
ところで、外線からの着信に対して親機と子機の両方で音声認識を行なうには、この親機と子機の両者に音声認識回路を設ける必要がある。
【０００４】
しかし、特に子機は、その携帯性から小型化を図る必要があるが、上記のように音声認識回路を設けた場合、大型化を招く結果となった。
【０００５】
【課題を解決するための手段】
本発明のコードレス電話装置は、電話回線に接続される親機と、該親機と無線接続される子機とからなるコードレス電話装置であって、前記親機は、有線回線の接続、開放を行うネットワーク回路と、子機と無線接続する送受信回路と、マイクロホンと、該マイクロホン又は前記送受信回路から入力した、ユーザから発せられた着信に応答することを意味する言葉を検出する音声認識回路と、ベルと、制御回路と、を有し、前記制御回路は、着信時に前記送受信回路から子機にＯＮコマンドを送信させることにより子機のスピーカから着信音を送出させる制御と、前記ベルから着信音を送出させる制御を交互に行い、
前記子機のスピーカから着信音を送出させる制御を行っている間に前記音声認識回路が前記マイクロホンから前記言葉を認識したと判定すると、前記ネットワーク回路を制御することにより回線を閉結し、一方、前記ベルから着信音を送出している間に前記送受信回路が前記子機から前記言葉のデータを受信し、該受信した言葉を前記音声認識回路が認識したと判定すると、親機を介して回線と子機との間で通話路を形成すべく、前記送受信回路と子機とを接続すると共に前記送受信回路と前記ネットワーク回路とを接続し、且つ電話回線を閉結するように制御することを特徴とする。
【０００６】
【作用】
本発明は、上記のように構成したものであるから、親機に設けた所定音の検出回路にて親機、子機の両者の音声検出自動応答を行なうことができる。
【０００７】
【実施例】
本発明の実施例を図面に基づいて説明する。図１は、本発明のコードレス電話装置の親機（１）のブロック図を示し、（３）は電話回線（Ｌ）に接続されたネットワーク回路で、電話回線（Ｌ）の接続回路も含んでいる。（４）は外線からの着信を検出する着信検出回路、（５）はアンプ（６）に接続されたハンズフリー用のスピーカ、（７）はアンプ（８）に接続されたハンズフリー用のマイクロホンである。（９）は子機（２）からの信号を受信し、復調する受信回路、（１０）は子機（２）に対して信号を送信する送信回路である。（１１）は受信回路（９）の出力とマイクロホン（７）のアンプ（８）の出力を切換える切換スイッチ、（１２）は切換スイッチ（１１）の出力を入力する音声認識回路で、ユーザーの「ハイ」という言葉を認識するように設定されている。（１３）は受信回路（９）、送信回路（１０）の組とスピーカ（５）、マイクロホン（７）の組のいずれかをネットワーク回路（３）に接続する切換回路、（１４）は着信報知用のベル、（１５）はハンズフリーキー（１６）、終話キー（１７）及びテンキー（１８）を含むキー回路である。（１９）はマイクロプロセッサからなる制御回路で、親機（１）の各回路を制御するものである。
【０００８】
図２は、子機（２）のブロック図を示し、（２０）は親機（１）からの信号を受信する受信回路、（２１）は受信回路（２０）からの復調信号をアンプ（２２）を介して再生するスピーカである。（２３）はアンプ（２４）を介してマイクロホン（２５）から入力した信号を変調して親機（１）に送信する送信回路で、後述する制御回路（３１）からの制御信号も変調して親機（１）に送信する。（２６）は着信報知用のベル、（２７）はハンズフリーキー（２８）、終話キー（２９）及びテンキー（３０）を含むキー回路である。（３１）はマイクロプロセッサからなる制御回路で、子機（２）の各回路を制御するものである。尚、親機（１）、子機（２）にてハンズフリーを採用しているのは、音声応答がなされた場合に、ハンドセット又は子機（２）自体を手に持つことなく直ちに通話することが可能となるからである。
【０００９】
図３及び図４は、親機（１）及び子機（２）の制御回路（１９）（３１）に書き込まれた着信処理に関する要部のプログラムのフローチャートを示し、以下これに基づいて動作を説明する。
【００１０】
まず、親機（１）の制御回路（１９）は着信検出回路（４）が着信を検出したか否かを監視する（Ｓ１）。ここで、着信を検出した親機（１）の制御回路（１９）は、子機（２）に対してＯＮコマンド信号を送信する（Ｓ２）。子機（２）の制御回路（３１）はＯＮコマンド信号の受信で、ベル（２６）を駆動する（Ｓ２４、２５）。親機（１）の制御回路（１９）にあっては、その後、内蔵のタイマーをスタートさせると共に、切換スイッチ（１１）を制御してマイクロホン（７）のアンプ（８）の出力を音声認識回路（１２）に与える（親機音声認識モード）（Ｓ３、４）。つまり、音声認識回路（１２）は、親機（１）側からの入力音声についての音声認識を行なうことになる。これは、音声認識は、外部雑音が小さい方がその認識率が高くなるため、ベルを駆動していない親機（１）側で音声認識をするようにしたのである。
【００１１】
而して、音声認識回路（１２）が「ハイ」を認識することなく、タイマーが１秒を計時すると、親機（１）の制御回路（１９）は、ＯＦＦコマンド信号を送信すると共にベル（１４）を駆動する（Ｓ１０〜１２）。このＯＦＦコマンド信号を受信した子機（２）の制御回路（３１）は、ベル（２６）を停止すると共に送信回路（２３）をＯＮにし、マイクロホン（２５）からの信号を親機（１）に送信する（Ｓ２７〜２９）。親機（１）の制御回路（１９）は、この後、タイマーをスタートさせ、次は切換スイッチ（１１）を制御して受信回路（９）の出力を音声認識回路（１９）に与えることになる（子機音声認識モード）（Ｓ１３、１４）。この後、音声認識回路（１２）が「ハイ」を認識することなく、タイマーが１秒を計時すると、親機（１）の制御回路（１９）はベル（１４）を停止し、着信が継続しておれば前述したと同様にＯＮコマンド信号を送信する（Ｓ２２、２３、１、２）。子機（２）の制御回路（３１）にあっては、ＯＮコマンド信号の受信により、送信回路（１０）をＯＦＦにした後に、前述したと同様に、ベル（２６）を駆動する（Ｓ３４、３５、２４、２５）。
【００１２】
即ち、着信時にあっては、１秒毎に親機（１）と子機（２）のベル（１４）（２６）を交互に駆動し、そしてベルを駆動していない側が音声認識のための入力側となるのである。尚、ベルを駆動していない側を音声認識のための入力側とした理由は前述したとおりである。ところで、着信時において、電話回線（Ｌ）からは２秒間１６ＨZの信号が１秒間隔で送られてくるため、一般的にベルは２秒 駆動、１秒停止のタイミングで制御されるが、本発明では、親機（１）に設けた音声認識回路（１２）にてこの親機（１）と子機（２）の両者で音声認識を可能にするべく、上述したようなベルの制御を行っている。
【００１３】
而して、親機（１）の音声認識モードにおいて、音声認識回路（１２）が「ハイ」という音声を認識すると、子機（２）に対し親機通話信号を送信すると共に、切換回路（１３）を制御してハンズフリー用のマイクロホン（７）とスピーカ（５）のアンプ（８）（６）をネットワーク回路（３）に接続し、且つ電話回線（Ｌ）を閉結する（Ｓ５〜８）。これにより、親機（１）側にて通話することが可能となる。親機通話信号を受信した子機（２）の制御回路（３１）は、スタンバイ状態（ベル（２６）の駆動も停止される）とした後、他の処理に移行する（Ｓ２６、３３）。尚、通話状態において、終話キー（１７）が操作されると、親機（１）の制御回路（１９）は電話回線（Ｌ）を開放してスタンバイ状態とした後、他の処理に移行する（Ｓ９、２０、２１）。
【００１４】
又、子機（２）の音声認識モードにおいて、「ハイ」を認識すると、切換回路（１３）を制御して受信回路（９）と送信回路（１０）の組をネットワーク回路（３）に接続し、且つ電話回線（Ｌ）を閉結する（Ｓ１５〜１７）。これにより、親機（１）側にて通話することが可能となる。この子機（２）の通話状態において、子機（２）の終話キー（２９）が操作されると、子機（２）の制御回路（３１）は親機（１）に終話信号を送信し、そして、スタンバイ状態とした後、他の処理に移行する（Ｓ３１〜３３）。親機（１）の制御回路（１９）は、終話信号を受信すると、電話回線（Ｌ）を開放してスタンバイ状態とした後、他の処理に移行する（Ｓ１９〜２１）。
【００１５】
【発明の効果】
本発明は、上記のように構成したものであるから、親機に設けた所定音の検出回路にて、親機、子機の両者の音声検出自動応答を行なうことができ、子機自体に音声検出回路を設ける必要がないので、子機の小型化を図ることができる。
【図面の簡単な説明】
【図１】本発明のコードレス電話装置の親機のブロック図である。
【図２】本発明のコードレス電話装置の子機のブロック図である。
【図３】本発明の親機の制御回路に書き込まれた着信処理に関するプログラムのフローチャートである。
【図４】本発明の子機の制御回路に書き込まれた着信処理に関するプログラムのフローチャートである。
【符号の説明】
１  親機
２  子機
７  マイクロホン
９  受信回路
１２  音声認識回路
１９  制御回路
３１  制御回路
【図１】
0003649762.tif 000002
【図２】
0003649762.tif 000003
【図３】
0003649762.tif 000004
【図４】
0003649762.tif 000005